(57)【要約】      （修正有）【課題】ワンタッチで固着することによって支柱のぐらつきを無くし、かつ、ワンタッチで分解できるようにした陳列棚等の支柱構造を提供する。【解決手段】下方の固定部６１０は、基盤６１がベース板に固着して構成され、この基盤は、有底短筒状の嵌合突起６３を上向きに突設し、この嵌合突起の短筒底面ほぼ中央に細長い開口部６４が穿設されるとともに、この開口部の両側に、夫々緩やかに傾斜する螺旋面Ｓが形成され、一方、前記上方の回動部６２０は、支柱１のほぼ下端内周部において径方向に天板６５が橋絡して構成され、この天板のほぼ中央において逆Ｔ字状にロック棒６７が立設されるとともに、このロック棒は棒状の掛止部６７１に脚部６７２が直立して構成され、前記固定部の嵌合突起を前記回動部における支柱のほぼ下端内周部に挿嵌するとともに、前記ロック棒の掛止部を前記短筒底面の開口部に挿通させ、かつ、前記支柱を軸周りに回動させることによって、前記掛止部が前記螺旋面に締付けられる。【選択図】図４
0003146739.tif 000002
【実用新案登録請求の範囲】
【請求項１】
複数のベース板に支柱を対組に立設するとともに、
これらの支柱間に棚板を多段に架設し、
かつ、固定金具によって下方の固定部に上方の回動部が嵌設される陳列棚等の支柱構造であって、
前記下方の固定部は、基盤がベース板に固着して構成され、
この基盤は、有底短筒状の嵌合突起を上向きに突設し、
この嵌合突起の短筒底面ほぼ中央に細長い開口部が穿設されるとともに、
この開口部の両側に、夫々緩やかに傾斜する螺旋面が形成され、
一方、前記上方の回動部は、前記支柱のほぼ下端内周部において径方向に天板が橋絡して構成され、
この天板のほぼ中央において逆Ｔ字状にロック棒が立設されるとともに、
このロック棒は棒状の掛止部に脚部が直立して構成され、
前記固定部の嵌合突起を前記回動部における支柱のほぼ下端内周部に挿嵌するとともに、
前記ロック棒の掛止部を前記短筒底面の開口部に挿通させ、
かつ、前記支柱を軸周りに回動させることによって、
前記掛止部が前記螺旋面に締付けられるとともに、
前記固定部に前記回動部が堅固に掛合されることを特徴とする陳列棚等の支柱構造。
【請求項２】
前記支柱はスチール製の円筒管からなり、
この円筒管の周方向に９０度の等ピッチ角度で、かつ、軸方向に等間隔に、
複数のスリットが穿設されることを特徴とする請求項１記載の陳列棚等の支柱構造。
【考案の詳細な説明】
【技術分野】
【０００１】
本考案は、陳列棚等の支柱構造であって、支柱をワンタッチでベース板に立設し、かつ、支柱をワンタッチでベース板から取り外し可能な支柱構造に関する。詳しくは、支柱をベース板に瞬時に立設して陳列棚を組み立て、例えば特売場等を開店し、しかる後、期間が過ぎたら支柱を瞬時にベース板から取り外して支柱、ベース板、棚板に分解し、速やかに次の会場の準備をすることを可能にした陳列棚等の支柱構造に関する。
【背景技術】
【０００２】
日本は土地が狭いこともあり、土地の広さや形状に合せて店舗が作られていく。そして、限られた広さの店舗にできだけ多くの商品を並べる。そのために、陳列棚を配置して立体的に商品を並べて単位面積当たりの商品陳列の効率を上げることになる。また、陳列も年中固定したものではなく、例えば季節ごと、月ごと、或いは週間ごとに特売場を開店する等店舗内のレイアウトが変わる。そのために、陳列棚の数が異なり、取り扱う商品アイテムも、陳列棚位置も必然的に変わらざるをえない。そこで、リースで陳列棚を配置して変化する陳列レイアウトに対応することになる。つまり、陳列棚は固定したものではなく、用が済んだら返却することになる。このような陳列棚には、組み立て或いは分解の容易性が求められる。しかも、組み立てが短時間でできることが求められる。そこで、従来は、陳列棚を立設するための一方のベース板にナットを溶接し、かつ、他方の支柱の先端にボルトを溶接して、ベース板に支柱を螺着する連結構造とする。そして、支柱の間に棚板を段積みして陳列棚を構成することが行われる。用済み後は、螺子を緩めてベース板と支柱に分解する。
【０００３】
一方、このような陳列棚には他に数々の工夫がなされ、その中で次のような支柱構造に関する考案が提案されている。この考案は、左右の支柱と、その対向面に横架される横連結材を、堅固に、かつ体裁よく固定しうるようにした陳列棚等における支柱と横連結材との結合構造に関するもので、支柱と横連結材との係合部に側方を向く突っ張り力を与えて互いに強く係合させることにより、それらを堅固に結合するとともに、ボルト等が外部に露呈して見栄えが損なわれるのを防止しうるようにした、陳列棚等における支柱と横連結材との結合構造 を提供することを目的としている（特許文献１）。
【０００４】
【特許文献１】特開２００２−３４５６０８号公報
【考案の開示】
【考案が解決しようとする課題】
【０００５】
以上の通りであって、特許文献１に代表されるように、従来の陳列棚の支柱構造には、まとめると次のような問題点がある。
【０００６】
即ち、従来の支柱構造の問題点の第一は、陳列棚と支柱とを連結するにあたり、構造が複雑であり、支柱を取り外すことが簡単ではない。そのため、陳列棚がリース物件の場合、ベース板と支柱を分解して運搬し易くするという顧客のニーズに対応できない。或いは、特売場等で次のセールのための会場準備をする際に、陳列棚、支柱部とベース板を分解するのに時間がかかる。この他、陳列棚はベース板と支柱を溶接などにより固着して分解できないものもある。
【０００７】
第二に、支柱とベース板との連結構造がナットとボルトの螺着構造の場合、陳列棚と支柱部とを分解するに螺子を緩めるに時間がかかり撤去作業がスムーズに運ばない。また、何度も、ベースと支柱部とを分解を繰り返すうちに、螺子部の損傷あるいは摩耗によって螺子がゆるまず分解作業が容易でなく、組み立て或いは分解の際の即時性に欠けていた。
【０００８】
そこで、本考案の陳列棚等の支柱構造は、このような従来の抱える問題点を解決するためになされたもので、本考案は、ベース板に支柱を堅固に、しかもワンタッチで固着することによって支柱のぐらつきを無くし、かつ、支柱をベース板からワンタッチで分解できるようにした、陳列棚等の支柱構造を提供することを目的としている。
【課題を解決するための手段】
【０００９】
そこで、本考案者等は、支柱をベース板に瞬時に着脱自在に固定する手段としてピッチの粗い螺子締めの原理を応用することを着想し、この着想に基づき試作したところ、非常に使い勝手が良いという知見を得た。本考案の陳列棚はかかる知見を基に具現化したもので、請求項１の考案は、複数のベース板に支柱を対組に立設するとともに、これらの支柱間に棚板を多段に架設し、かつ、固定金具によって下方の固定部に上方の回動部が嵌設される陳列棚等の支柱構造であって、前記下方の固定部は、基盤がベース板に固着して構成され、この基盤は、有底短筒状の嵌合突起を上向きに突設し、この嵌合突起の短筒底面ほぼ中央に細長い開口部が穿設されるとともに、この開口部の両側に、夫々緩やかに傾斜する螺旋面が形成され、一方、前記上方の回動部は、前記支柱のほぼ下端内周部において径方向に天板が橋絡して構成され、この天板のほぼ中央において逆Ｔ字状にロック棒が立設されるとともに、このロック棒は棒状の掛止部に脚部が直立して構成され、前記固定部の嵌合突起を前記回動部における支柱のほぼ下端内周部に挿嵌するとともに、前記ロック棒の掛止部を前記短筒底面の開口部に挿通させ、かつ、前記支柱を軸周りに回動させることによって、前記掛止部が前記螺旋面に締付けられるとともに、前記固定部に前記回動部が堅固に掛合されることを特徴とする陳列棚等の支柱構造である。また、請求項２の考案は、請求項１の考案の上記特徴に加えて、前記支柱はスチール製の円筒管からなり、この円筒管の周方向に９０度の等ピッチ角度で、かつ、軸方向に等間隔に、複数のスリットが穿設されることを特徴とする陳列棚等の支柱構造である。
【考案の効果】
【００１０】
本考案による陳列棚等の支柱構造によれば、以下に列挙した如き実用上の優れた効果を奏する。第一に、ベース板に支柱を取り付け固着し、又、取外すには、ベース板に固着された固定部の嵌合突起に、支柱の下端に設けた回動部の嵌合穴を嵌め込んだ後、支柱をその軸周りに正・逆回転させるだけで足りる。 そのために、着脱操作を簡単でしかもワンタッチ操作で行うことができる。第二に、 固定部と回動部とは、嵌合突起に形成した斜面による楔作用によって、連結が堅固となり、ロック棒が螺旋面に食い込むので支柱のぐら付きが無くなる。第三に、支柱には、軸方向に等間隔で、かつ、円周方向に等ピッチ角度に複数のスリットが穿孔されていので、陳列棚の棚板の段数及びピッチを自由に選択できる。また、棚板を一方向、表裏方向、或いは、前後左右の四方向に設けることができるので、商品の種類又は数量に応じて限られたスペースの中で商品の展示効率が高まる。
【考案を実施するための最良の形態】
【００１１】
本考案の実施の形態を、添付図面に示した本考案の実施例に基づいて以下に具体的に説明する。
【実施例１】
【００１２】
先ず、本考案の実施例１について、図１〜図６を参照しながら説明する。図１は、本考案の実施例に係る第一の陳列棚の斜視図である。図２は、図１におけるＡ−Ａ矢視及びＢ−Ｂ矢視の断面図である。図３は、図１におけるＣ−Ｃ矢視の断面図である。図４は、支柱固着金具の斜視図である。図５は、第二の陳列棚の態様を示す斜視図である。そして、図６は、第三の陳列棚の態様を示す斜視図である。
【００１３】
本考案を適用して組立てられた商品の陳列棚を図１に示し、床にベース板２、２を載置し、これらに左右一対の支柱１、１を立設する。図中の下方左右のほぼ矢印６の位置に固定金具６（詳細は後述する）が夫々設けられ、支柱１は固定金具６によってベース板２に着脱自在に立設される。支柱１はスチール製の円筒管からなり、この円筒管の肉厚方向で、円周方向に等ピッチ角度に、かつ、軸方向に等ピッチ間隔に、スリット４が穿孔されている。左右の支柱１、１の間に所定高さ位置のスリット４を介して棚板３が架設され、必要に応じて棚板３は上下多段に設けられる。そして多段の棚板３の背面上下左右に亘って背板７が支柱１、１に取り付けられる。背板７は直立する支柱１、１を強度補強し、或いは商品が棚板３の背後へ落下するのを防止する。背板７は場合によっては設ける必要がない。棚板３がスリット４に掛止される状態及び固定金具６の構成についての詳細は後述する。
【００１４】
支柱１には軸方向に等間隔に、かつ、円周方向に等ピッチ角度に粗縦長矩形状のスリット４が穿設されている。これらの詳細を図２に示し、図（ａ）に軸方向に等間隔にスリット４を穿設した状態を、そして、図（ｂ）に円周方向に９０度の等角度ピッチにスリット４を穿設した状態を示す。棚板３には先端が鉤状に曲がるフック３１、３１を備え、これらのフック３１、３１を軸方向のスリット４、４に掛止し、この状態を図（ａ）に示している。このようにして、図１に示すように一方向に棚板３を多段に設けた陳列棚１００が完成する。
【００１５】
次に、固定金具の断面を図３に示すように、固定金具６は下方の固定部６１０と上方の回動部６２０とから構成される。また、夫々の詳細を図４（ａ）、（ｂ）に示し、上方の回動部６２０は支柱１の下端部に組み込まれる。固定部６１０は、図４（ａ）に示すように基盤６１、その他短筒底面６２、嵌合突起６３、開口部６４から構成される。一方、図４（ｂ）の回動部６２０は、説明の都合上実際の方向とは上下逆の状態を示し、支柱１の下端部を構成部材として組み込んでおり、支柱１の内周部の嵌合穴６６、その他天板６５、ロック棒６７から構成される。ここで、図３では固定部６１０の基盤６１は螺子止めによってベース板２に固着された状態を示すが、固定部６１０の基盤６１は溶接によってベース板２に固着されることでもよい。或いは、固定部６１０の基盤６１とベース板２とを一体構造にすることでも構わない。例えばプレス加工によって凸状の嵌合突起６３を備える基盤６１をベース板２の面に成形することでもよい。
【００１６】
図４（ａ）の固定部６１０は、スチール製で方形の基盤６１とその中央部において本図の裏側へ有底短筒状の嵌合突起６３が突設し、基盤６１の周縁部に複数箇所に螺孔を設けている。本図の裏側へ凸状の嵌合突起６３が突設し、この嵌合突起６３の裏面に当たる手前側凹状の短筒底面６２において、即ち、嵌合突起６３の内側底面において径方向に伸びる所定の長さと幅を有する細長い開口部６４が穿設されている。そして、短筒底面６２には、開口部６４の両側に夫々短筒の内周方向に緩やかに傾斜する螺旋面Ｓが形成されている。即ち、上半円面の部位では方向Ｔ１の向きに緩やかに下がって傾斜し、下半円面では対角側の方向Ｔ２の向きに緩やかに下がって傾斜し全体として短筒底面６２の面には螺旋面Ｓが形成される。
【００１７】
一方、図４（ｂ）の回動部６２０は、説明上実際の方向とは上下逆さまの状態を示す。回動部６２０は長尺のスチール製の円筒管からなる支柱１のほぼ下端部分を、その構成部材の一部に組込んでいる。即ち、支柱１のほぼ下端内周部は、固定部６１０の凸状の嵌合突起６３を嵌合させる嵌合穴６６となる。天板６５は、支柱１の下端部から所定寸法だけ離れた内周部において、直径方向に橋絡状に溶接されており、天板６５はこの嵌合穴６６の天井となる。天板６５の中央には、固定部６１０と回動部６２０とを堅固に掛止させるためのロック棒６７を突設している。
【００１８】
固定部６１０に回動部６２０を固定する状態を図３に示し、その詳細を説明する。固定部６１０のロック棒６７は、細長い棒状の掛止部６７１と短い脚部６７２の二本の金属棒をＴ字形に溶接して固着した形態を備えており、脚部６７２側を図のように逆Ｔ字形に天板６５に溶接している。逆Ｔ字の横棒の掛止部６７１は螺旋面Ｓに掛止されてロックされ、回動部６２０は固定部６１０に固着される。脚部６７２の高さ寸法は、掛止部６７１を開口部６４に挿通させた状態で、掛止部６７１の上面が辛うじて螺旋面Ｓの溝側面と干渉しないように、この螺旋面Ｓ上に突出させ得る寸法に設定している。
【００１９】
ここで、陳列棚１００の製品仕様の例を示す。支柱１はスチール製の円筒管で、外径５０．８ｍｍ、肉厚１．９ｍｍで、支柱の高さは１３５０〜１６００ｍｍ、或いは１８００〜２１００ｍｍである。外周表面はクロムメッキによる鏡面仕上げ、或いは黒色粉体塗装を施したものである。この支柱１のスリット４の孔の大きさは長さが３０ｍｍで幅３〜４ｍｍであり、支柱１の軸方向に２５〜４０ｍｍのピッチで穿孔される。スリット４の円周方向は９０度ピッチであり、これらのスリット４を使用して、後述する図５或いは図６の多様な陳列棚のラインアップが可能である。ベース板２は厚さ４．５ｍｍのスチール製板で、直径４００ｍｍ、４５０ｍｍ或いは５００ｍｍの大きさである。ベース板２は表面が鏡面にならないように、ショットブラストを施して梨地模様とし、或いはヘアーライン模様とする。また、棚板３はスチール製の他、メラミン化粧板を使用することができる。
【００２０】
次に他の形態の陳列棚を図５に示し、この例は左右一対の支柱１、１の表裏両側に棚板を設けたものである。図２（ｂ）の支柱の断面に示したように、円周方向に９０度の等角度ピッチで設けられたスリットの中、１８０度方向の対向するスリット４、４を使用したものである。図２（ａ）に示す要領で棚板３のフック３１、３１を掛止し、表裏両側に棚板を設けることができる。また、支柱１、１の間に横木５を架設して、倒れ防止等陳列棚の安定性を図ることもできる。
【００２１】
更に、四方向に棚板を設けた形態の陳列棚を図６に示し、この例は前後左右２対の支柱１、１及び支柱１、１の前後左右に棚板を設けたものである。図２（ｂ）に示す円周方向９０度等ピッチ角度に穿孔したスリット４、４、４、４を使用して前後左右に棚板を設けることができる。
【００２２】
以上のように構成され、次に各部位の作用について説明する。
【００２３】
先ず、固定金具の作用について説明する。ベース板２に支柱１を立てるために、図３に示すように支柱１のほぼ下端の嵌合孔６６を、ベース板２に固着した固定部６１０の嵌合突起６３に嵌め込む。同時にロック棒６７の掛止部６７１を細長の開口部６４に挿通させ、螺旋面Ｓの下側に突出させる。そして、回動部６２０側の支柱１を回動させると、細長い掛止部６７１の回動に伴って、掛止部６７１の上面は、ボルトとナットの螺山の斜面の様に作用する螺旋面Ｓを次第に締め付けることになる。この結果、支柱１の下端部に一体に設けた回動部６２０は、ベース板２に固着した固定部６１０に堅固に掛合され、支柱１をベース板２に取付ける作業は、殆どワンタッチに近い操作で完了する。このように、螺子の締め付け原理でベース板に支柱を固着できる。しかも支柱１に螺子の半ピッチ以下の回動を加えるだけで瞬時に締め付け、かつ、緩めることができる。この場合、ロック棒６７は雄螺子の作用をし、傾斜面Ｓが雌螺子の作用をする。ロック棒６７及び傾斜面Ｓはスチール製なので、螺子山が損傷することなく堅固に掛合して支柱がぐらつくようなことがない。固定金具６を使って陳列棚１００を容易にしかも瞬時に組み立てることができる。
【００２４】
例えば特売期間が過ぎて用済みになった陳列棚を、コンパクトにして保管したい場合には、支柱を取り付ける時とは逆向きに廻せば、支柱を極めて簡単、迅速にベース板から外すことが出来る。また、支柱の回動操作を軽い力で行うためには、支柱の下端近くに小孔（図示なし）を設けて置き、この小孔に挿し込んだドライバーや梃となる棒等を廻すとよい。このように、本考案による固定金具を備えた陳列棚によれば、特売場等を開店し、しかる後、期間が過ぎたら支柱を瞬時にベース板から取り外して支柱、ベース板、棚板へと速やかに分解し、次の会場の準備をすることを可能にする。
【００２５】
次に、棚板の掛架方向について説明する。支柱１には軸方向に等間隔で、かつ、円周方向に等ピッチ角度でほぼ縦長矩形状のスリット４が穿孔されている。これらのスリット４を使用することによって多様な陳列棚をラインアップすることができる。即ち、図１で示したように棚板を手前側のみに、高さ方向の間隔を自由に選択して多段に設けることができる。或いは、図５に示すように、対向する円周方向１８０度のスリット４、４を使用して支柱の表裏の二方向に棚板を設けることができる。また、図６で示すように、円周方向９０度ピッチの４箇所のスリット４、４、４、４を使用して前後左右の四方向に棚板を設けることができる。このように、支柱１の外周面に円周方向９０度ピッチのスリットを穿孔しておくことによって手前側のみ、表裏の二方向、或いは前後左右方向の四方向に棚板を掛架し、三種類の陳列棚を企画することができる。売場の限られたスペースに、商品の種類、数量に応じて三種類の陳列棚を有効に活用できる。
【産業上の利用可能性】
【００２６】
なお、本考案の固定金具の使途は、陳列棚、ディススプレイ等に限るものではなく、固定金具を机の天板に固着し脚部を脱着する機能として使用することでもよい。机のように天板の上で作業する作業台、或いは天板の上で食事するテーブル等に用いても勿論よい。
【図面の簡単な説明】
【００２７】
【図１】本考案の実施例に係る陳列棚の斜視図である。
【図２】同上、図１におけるＡ−Ａ矢視及びＢ−Ｂ矢視の断面図である。
【図３】同上、図１におけるＣ−Ｃ矢視の断面図である。
【図４】同上、支柱固着部品の斜視図である。
【図５】同上、第二の陳列棚の態様を示す斜視図である。
【図６】同上、第三の陳列棚の態様を示す斜視図である。
【符号の説明】
【００２８】
１００、２００、３００  陳列棚
１  支柱
２  ベース板
３  棚板
３１  フック
４  スリット
５  横木
６１０  固定部
６２０  回動部
６  固定金具
６１  基盤
６２  短筒底面
６３  嵌合突起
６４  開口部
６５  天板
６６  嵌合穴
６７  ロック棒、６７１  掛止部、６７２  脚部
７  背板
Ｓ  螺旋面
Ｔ１、Ｔ２  方向
【図１】
0003146739.tif 000003
【図２】
0003146739.tif 000004
【図３】
0003146739.tif 000005
【図４】
0003146739.tif 000006
【図５】
0003146739.tif 000007
【図６】
0003146739.tif 000008